(57)【特許請求の範囲】
【請求項１】
ユーザ装置（ＵＥ）の能力を報告するための方法であって、
前記ＵＥにより、能力問合せメッセージを基地局から受信するステップと、
前記ＵＥにより、能力報告メッセージを前記基地局に送信するステップであって、前記能力報告メッセージは明示モードと暗黙モードのうち少なくとも１つにより前記ＵＥのマルチ時間整列（ＴＡ）能力情報を含むステップと、
を含み、
前記能力報告メッセージが、前記暗黙モードにより前記ＵＥの前記マルチＴＡ能力情報を含む場合には、前記基地局は、前記能力報告メッセージに含まれる帯域結合情報または前記ＵＥのＵＥカテゴリ情報に従って、前記ＵＥが前記マルチＴＡ能力をサポートするかどうかを判定し、
前記能力報告メッセージが前記明示モードによりＵＥのマルチＴＡ能力情報を含む場合には、前記能力報告メッセージが、各帯域結合における各帯域が単一のＴＡグループかどうかを示す情報を少なくとも含む、
方法。
【請求項２】
前記能力報告メッセージが前記明示モードにより前記ＵＥの前記マルチＴＡ能力情報を含む場合には、
前記能力報告メッセージが、前記ＵＥがマルチＴＡ能力をサポートするかどうかを示す情報および前記ＵＥによりサポートされるＴＡグループの数を示す情報のうち少なくとも１つを含み、
または、
前記能力報告メッセージが、前記ＵＥにより報告される帯域結合ごとにマルチＴＡ能力がサポートされるかどうかを示す情報、および各帯域結合によりサポートされるＴＡグループの数を示す情報のうち少なくとも１つを含む、
請求項１に記載の方法。
【請求項３】
前記能力報告メッセージが、前記ＵＥにより報告される帯域結合ごとにマルチＴＡ能力がサポートされるかどうかを示す情報を含む場合には、前記ＵＥにより、１つの帯域を含む帯域結合に対してのみ前記マルチＴＡ能力を報告する、請求項２に記載の方法。
【請求項４】
前記能力報告メッセージが、前記暗黙モードにより前記ＵＥの前記マルチＴＡ能力情報を含む場合には、
前記能力報告メッセージに含まれる帯域結合情報が、前記ＵＥがマルチＴＡ能力をサポートするかどうかを示す情報を暗黙的に含み、
前記ＵＥのＵＥカテゴリ情報と前記ＵＥがマルチＴＡ能力をサポートするかどうかを示す情報との間の関係が予め決定される、
請求項１に記載の方法。
【請求項５】
前記能力報告メッセージに含まれる帯域結合情報が、前記ＵＥが前記マルチＴＡ能力をサポートするかどうかを示す前記情報を暗黙的に含む場合には、
前記能力報告メッセージに含まれる無線周波数（ＲＦ）能力情報は前記帯域結合情報を含み、前記帯域結合情報は前記ＵＥが帯域間集約をサポートするかどうかを示し、前記ＵＥが帯域間集約をサポートする場合には前記ＵＥは前記マルチＴＡ能力をサポートする、
請求項４に記載の方法。
【請求項６】
前記能力報告メッセージに含まれる帯域結合情報が、前記ＵＥが前記マルチＴＡ能力をサポートするかどうかを示す前記情報を暗黙的に含む場合には、前記帯域結合情報は高々前記ＵＥにより集約できる帯域の数を示し、その結果、前記基地局は、前記帯域結合情報に従って、高々前記ＵＥによりサポートできるＴＡグループの数を決定することができる、請求項４に記載の方法。
【請求項７】
前記能力報告メッセージは前記暗黙モードにより前記ＵＥの前記マルチＴＡ能力情報を含む、請求項４に記載の方法。
【請求項８】
前記ＴＡグループの数は、一次セル（Ｐセル）ＴＡグループ（ＰＴＡＧ）の数と二次セル（Ｓセル）ＴＡグループ（ＳＴＡＧ）の数の和に等しいか、または、ＳＴＡＧの数に等しい、請求項２乃至６の何れか１項に記載の方法。
【請求項９】
ユーザ装置（ＵＥ）であって、
基地局から能力問合せメッセージを受信するための受信モジュールと、
能力報告メッセージを前記基地局に送信するための送信モジュールであって、前記能力報告メッセージは明示モードと暗黙モードのうち少なくとも１つにより前記ＵＥのマルチ時間整列（ＴＡ）能力情報を含む送信モジュールと、
を備え、
前記能力報告メッセージが、前記暗黙モードにより前記ＵＥの前記マルチＴＡ能力情報を含む場合には、前記基地局は、前記能力報告メッセージに含まれる帯域結合情報または前記ＵＥのＵＥカテゴリ情報に従って、前記ＵＥが前記マルチＴＡ能力をサポートするかどうかを判定し、
前記能力報告メッセージが前記明示モードによりＵＥのマルチＴＡ能力情報を含む場合には、前記能力報告メッセージが、各帯域結合における各帯域が単一のＴＡグループかどうかを示す情報を少なくとも含む、
ユーザ装置（ＵＥ）。
【請求項１０】
前記能力報告メッセージが前記明示モードにより前記ＵＥの前記マルチＴＡ能力情報を含む場合には、
前記能力報告メッセージは、前記ＵＥがマルチＴＡ能力をサポートするかどうかを示す情報、および前記ＵＥでサポートされるＴＡグループの数を示す情報のうち少なくとも１つを含むか、
または、
前記能力報告メッセージは、マルチＴＡ能力が前記ＵＥに対して報告された各帯域結合に対してサポートされるかどうかを示す情報、および各帯域結合でサポートされるＴＡグループの数を示す情報のうち少なくとも１つを含む、
請求項９に記載のＵＥ。
【請求項１１】
前記能力報告メッセージが、前記ＵＥによりサポートされる帯域結合ごとにマルチＴＡ能力がサポートされるかどうかを示す情報を含む場合には、前記ＵＥにより、１つの帯域を含む帯域結合に対してのみマルチＴＡ能力を報告する、請求項９に記載のＵＥ。
【請求項１２】
前記ＵＥカテゴリ情報と前記ＵＥがマルチＴＡ能力をサポートするかどうかを示す情報との関係が予め決定される、
請求項９に記載のＵＥ。
【請求項１３】
基地局により能力問合せメッセージを前記ＵＥに送信するステップと、
前記基地局により能力報告メッセージを前記ＵＥから受信するステップであって、前記能力報告メッセージは明示モードと暗黙モードのうち少なくとも１つにより前記ＵＥのマルチ時間整列（ＴＡ）能力情報を含むステップと、
前記基地局により、前記能力報告メッセージに含まれる前記ＵＥの前記マルチＴＡ能力情報に従って、前記ＵＥがマルチＴＡ能力をサポートするかどうかを判定するステップと、
を含み、
前記能力報告メッセージが、前記暗黙モードにより前記ＵＥの前記マルチＴＡ能力情報を含む場合には、前記基地局は、前記能力報告メッセージに含まれる帯域結合情報または前記ＵＥのＵＥカテゴリ情報に従って、前記ＵＥが前記マルチＴＡ能力をサポートするかどうかを判定
し、
前記能力報告メッセージが前記明示モードによりＵＥのマルチＴＡ能力情報を含む場合には、前記能力報告メッセージが、各帯域結合における各帯域が単一のＴＡグループかどうかを示す情報を少なくとも含む、
ユーザ装置（ＵＥ）の能力を報告するための方法。
【請求項１４】
前記能力報告メッセージが前記明示モードにより前記ＵＥの前記マルチＴＡ能力情報を含む場合には、
前記能力報告メッセージが、前記ＵＥが前記マルチＴＡ能力をサポートするかどうかを示す情報、および前記ＵＥによりサポートされるＴＡグループの数を示す情報のうち少なくとも１つを含み、
または、
前記能力報告メッセージが、前記ＵＥにより報告される帯域結合ごとに前記マルチＴＡ能力がサポートされるかどうかを示す情報、および各帯域結合によりサポートされるＴＡグループの数を示す情報のうち少なくとも１つを含む、
請求項１３に記載の方法。
【請求項１５】
前記能力報告メッセージが、前記ＵＥにより報告される帯域結合ごとにマルチＴＡ能力がサポートされるかどうかを示す情報を含む場合には、前記ＵＥにより、１つの帯域を含む帯域結合に対してのみ前記マルチＴＡ能力を報告する、請求項１４に記載の方法。
【請求項１６】
前記能力報告メッセージが前記暗黙モードにより前記ＵＥの前記マルチＴＡ能力情報を含む場合には、
前記能力報告メッセージに含まれる帯域結合情報が、前記ＵＥがマルチＴＡ能力をサポートするかどうかを示す情報を暗黙的に含み、
前記ＵＥのＵＥカテゴリ情報と前記ＵＥがマルチＴＡ能力をサポートするかどうかを示す情報との間の関係が予め決定される、
請求項１３に記載の方法。
【請求項１７】
前記能力報告メッセージに含まれる帯域結合情報が、前記ＵＥが前記マルチＴＡ能力をサポートするかどうかを示す前記情報を暗黙的に含む場合には、前記能力報告メッセージに含まれる無線周波数（ＲＦ）能力情報は前記帯域結合情報を含み、前記帯域結合情報は前記ＵＥが帯域間集約をサポートするかどうかを示し、前記ＵＥが帯域間集約をサポートする場合には前記ＵＥは前記マルチＴＡ能力をサポートする、請求項１６に記載の方法。
【請求項１８】
前記能力報告メッセージに含まれる帯域結合情報が、前記ＵＥが前記マルチＴＡ能力をサポートするかどうかを示す前記情報を暗黙的に含む場合には、前記帯域結合情報は高々前記ＵＥにより集約できる帯域の数を示し、その結果、前記基地局は、前記帯域結合情報に従って、高々前記ＵＥによりサポートできるＴＡグループの数を決定することができる、請求項１６に記載の方法。
【請求項１９】
前記能力報告メッセージは前記暗黙モードにより前記ＵＥの前記マルチＴＡ能力情報を含む、請求項１６に記載の方法。
【請求項２０】
前記ＴＡグループの数は、一次セル（Ｐセル）ＴＡグループ（ＰＴＡＧ）の数と二次セル（Ｓセル）ＴＡグループ（ＳＴＡＧ）の数の和に等しいか、または、ＳＴＡＧの数に等しい、請求項１４乃至１８の何れか１項に記載の方法。
【請求項２１】
能力問合せメッセージをＵＥに送信するための送信モジュールと、
能力報告メッセージを前記ＵＥから受信するための受信モジュールであって、前記能力報告メッセージは明示モードと暗黙モードのうち少なくとも１つにより前記ＵＥのマルチ時間整列（ＴＡ）能力情報を含む受信モジュールと、
前記能力報告メッセージに含まれる前記ＵＥの前記マルチＴＡ能力情報に従って、前記ＵＥがマルチＴＡ能力をサポートするかどうかを判定するための判定モジュールと、
を備え、
前記能力報告メッセージが、前記暗黙モードにより前記ＵＥの前記マルチＴＡ能力情報を含む場合には、前記判定モジュールは、前記能力報告メッセージに含まれる帯域結合情報または前記ＵＥのＵＥカテゴリ情報に従って、前記ＵＥが前記マルチＴＡ能力をサポートするかどうかを判定し、
前記能力報告メッセージが前記明示モードによりＵＥのマルチＴＡ能力情報を含む場合には、前記能力報告メッセージが、各帯域結合における各帯域が単一のＴＡグループかどうかを示す情報を少なくとも含む、
基地局。
【請求項２２】
前記能力報告メッセージが前記明示モードにより前記ＵＥの前記マルチＴＡ能力情報を含む場合には、
前記能力報告メッセージは、前記ＵＥが前記マルチＴＡ能力をサポートするかどうかを示す情報、および前記ＵＥでサポートされるＴＡグループの数を示す情報のうち少なくとも１つを含むか、
または、
前記能力報告メッセージは、前記マルチＴＡ能力が前記ＵＥに対して報告された各帯域結合に対してサポートされるかどうかを示す情報、および各帯域結合でサポートされるＴＡグループの数を示す情報のうち少なくとも１つを含む、
請求項２１に記載の基地局。
【請求項２３】
前記能力報告メッセージが、前記ＵＥにより報告される帯域結合ごとにマルチＴＡ能力がサポートされるかどうかを示す情報を含む場合には、前記ＵＥにより、１つの帯域を含む帯域結合に対してのみ前記マルチＴＡ能力を報告する、請求項２２に記載の基地局。
【請求項２４】
前記ＵＥのＵＥカテゴリ情報と前記ＵＥが前記マルチＴＡ能力をサポートするかどうかを示す情報との間の関係が予め決定される、
請求項２１に記載の基地局。
【発明の詳細な説明】
【技術分野】
【０００１】
本願は、発明の名称を「ＵＥの能力を報告するための方法および装置」とした、２０１１年８月１２日出願の中国特許出願第２０１１１０２３１３３５．０号に対する優先権を主張し、その内容全体を引用により本明細書に組み込む。
【０００２】
本発明は通信技術に関し、特に、ＵＥの能力を報告するための方法と装置に関する。
【背景技術】
【０００３】
ロング・ターム・エボリューション（ＬＴＥ）システムのピーク速度と比べると、ＬＴＥアドバンスト（ＬＴＥ−Ａ）システムのピーク速度は非常に向上している。ＬＴＥ−Ａシステムのダウンリンク速度とアップリンク速度は、夫々１Ｇｂｐｓおよび５００Ｍｂｐｓまでが要求される。さらに、ＬＴＥ−ＡシステムはまたＬＴＥシステムと互換である必要がある。ピーク速度を改善し、ＬＴＥ−ＡシステムをＬＴＥシステムと互換にし、周波数リソースを最大限に利用するために、キャリア集約（ＣＡ）技術がＬＴＥ−Ａシステムに導入されている。
【０００４】
ＣＡ技術により、複数のセルをユーザ装置（ＵＥ）により同時に集約することができる。ＵＥは端末装置である場合もある。これらのセルが同一帯域に属する場合もある。このケースでは、当該ＣＡ技術は帯域内ＣＡ技術と呼ばれる。これらのセルが異なる帯域に属する場合もある。このケースでは、当該ＣＡ技術は帯域間ＣＡ技術と呼ばれる。これらのセルが同一帯域に属するか否かに関わらず、ＵＥの能力がこれらのセルの集約をサポートできる限り、これらのセルはＵＥにデータ送信サービスを同時に提供することができる。ＬＴＥ−ＡシステムをＬＴＥシステムと互換とできるようにするために、各セルの最大帯域幅が２０ＭＨｚであることがあり、メンバ・キャリア間の帯域幅が同一であることも異なることもある。
【０００５】
時間整列（ＴＡ）機構により、ＵＥが集約した全てのセルのアップリンク信号が同時に基地局に到達して干渉を回避することを保証することができる。ＵＥに対しては、非同期なアップリンクデータ送信を回避すべきである。
【０００６】
ＬＴＥ−Ａ  Ｒ１０は単一のＴＡシナリオをサポートするにすぎない。当該シナリオでは、ＵＥが集約した全てのセルのＴＡは同一である。
【０００７】
マルチＴＡシナリオがＬＴＥ−Ａ  Ｒ１１に導入されている。当該シナリオでは、ＵＥが集約した全てのセルのＴＡは異なることがある。マルチＴＡシナリオが、帯域間ＣＡシナリオまたは帯域内ＣＡシナリオであることもある。帯域内ＣＡシナリオでは、当該帯域に属する部分セルのデータ送信がＲＲＨ（Ｒｅｍｏｔｅ  Ｒａｄｉｏ  Ｈｅａｄ）または中継器を通過する。
【０００８】
第三世代パートナシップ・プロジェクト（３ＧＰＰ）により定義されている幾つかのマルチＴＡのシナリオを以下で説明する。
【０００９】
図１に示すシナリオ１では、ＵＥがＦ１とＦ２を集約し、Ｆ１のカバレッジはＦ２のカバレッジより小さく、Ｆ１とＦ２は異なる帯域に属する。即ち、シナリオ１は帯域間ＣＡのシナリオである。
【００１０】
図２に示すシナリオ２では、ＵＥがＦ１とＦ２を集約し、Ｆ１とＦ２は異なる帯域に属する。即ち、シナリオ２は帯域間ＣＡのシナリオである。
【００１１】
図３に示すシナリオ３ａでは、ＵＥがＦ１とＦ２を集約し、Ｆ１とＦ２は同一の帯域に属するが、Ｆ２は中継器を通る。即ち、シナリオ３ａは帯域内ＣＡのシナリオであるが、部分セルのデータ送信が中継器を通る。
【００１２】
図３に示すシナリオ３ｂでは、ＵＥがＦ１とＦ２を集約し、Ｆ１とＦ２は異なる帯域に属し、Ｆ２が中継器を通る。即ち、シナリオ３ｂは帯域間ＣＡのシナリオであり、部分セルのデータ送信が中継器を通る。
【００１３】
図４に示すシナリオ４ａでは、ＵＥがＦ１とＦ２を集約し、Ｆ１とＦ２は同一帯域に属すが、Ｆ２が中継器を通る。即ち、シナリオ４ａは帯域内ＣＡのシナリオであるが、部分セルのデータ送信がＲＲＨを通る。
【００１４】
図４に示すシナリオ４ｂでは、ＵＥがＦ１とＦ２を集約し、Ｆ１とＦ２は異なる帯域に属し、Ｆ２が中継器を通る。即ち、シナリオ４ｂは帯域間ＣＡのシナリオであるが、部分セルのデータ送信がＲＲＨを通る。
【００１５】
マルチＴＡシステムにおけるＴＡを維持するために、ＴＡグループの概念を導入する。或るＴＡグループに属するセルのアップリンク・コンポーネント・キャリア（ＵＬ  ＣＣ）が同一のＴＡ値を使用してもよく、別のＴＡグループに属するセルのＵＬ  ＣＣが別のＴＡ値を使用してもよい。ＵＥがＴＡグループ内の１つのセルとアップリンク同期を維持する限り、ＵＥはＴＡグループ内の全てのセルとアップリンク同期を維持することができる。
【００１６】
一次セル（Ｐセル）を含むＴＡグループをＰセルＴＡグループ（ＰＴＡＧ）と呼ぶことができ、二次セル（Ｓセル）を含むＴＡグループをＳセルＴＡグループ（ＳＴＡＧ）と呼ぶことができる。
【００１７】
ＵＥがネットワーク、例えば、ＥＵＴＲＡＮ（Ｅｖｏｌｖｅｄ  Ｕｎｉｖｅｒｓａｌ  Ｔｅｒｒｅｓｔｒｉａｌ  Ｒａｄｉｏ  Ａｃｃｅｓｓ  Ｎｅｔｗｏｒｋ）にアクセスした後、ネットワーク内の基地局がＵＥの能力を問い合わせることができる。能力問合せ要求を基地局から受信した後、ＵＥがＵＥの能力を当該基地局に報告する。ＵＥの能力を報告するシグナリング・プロセスを図５に示す。
【００１８】
ＬＴＥ  Ｒ８／９におけるＵＥの能力に基づいて、非重要拡張（ｎｏｎ  Ｃｒｉｔｉｃａｌ  Ｅｘｔｅｎｓｉｏｎ）により、幾つかの新たな能力をＬＴＥ−Ａ  Ｒ１０におけるＵＥに追加することができる。当該新たな能力が、ＵＥカテゴリ能力、無線周波数（ＲＦ）能力、測定能力、不連続リソース割当て能力等を含んでもよい。無線周波数（ＲＦ）能力は、ＵＥにより集約できる全ての帯域結合を提供する。
【００１９】
帯域結合の情報要素（ＩＥ）は、２つのパラメータ、即ち、ＣＡＢａｎｄｗｉｄｔｈＣｌａｓｓとＭＩＭＯ（Ｍｕｌｔｉｐｌｅ−Ｉｎｐｕｔ  Ｍｕｌｔｉｐｌｅ−Ｏｕｔｐｕｔ）能力を含む。表１に示すように、ＣＡＢａｎｄｗｉｄｔｈＣｌａｓｓは、ＵＥにより集約できるＣＣの数を定義する。
【００２０】
【表１】
0005921686.tif 000002
【００２１】
ＬＴＥ−Ａ  Ｒ１０では、帯域内集約のみがアップリンクでサポートされるので、帯域結合で示される集約セルは全て当該帯域に属する。発明者らは先行技術において以下の課題を発見した。
【発明の概要】
【発明が解決しようとする課題】
【００２２】
３ＧＰＰにより定義されるマルチＴＡシナリオによれば、複数のＴＡをＬＴＥ−Ａ  Ｒ１１で考慮すべきであるが、複数のＴＡをサポートする能力はＬＴＥ−Ａ  Ｒ１１のＵＥには必要ではない。したがって、当該ＵＥがマルチＴＡ能力をサポートするかどうかを示す情報を、どのようにＵＥが基地局に報告するかを考慮する必要がある。
【課題を解決するための手段】
【００２３】
本発明の諸実施形態ではＵＥの能力を報告するための方法と装置を提供し、それにより、ＵＥがそのマルチＴＡ能力情報を報告できない問題を解決する。
【００２４】
１実施形態によれば、ＵＥの能力を報告するための方法が、ＵＥにより、能力問合せメッセージを基地局から受信するステップと、ＵＥにより、能力報告メッセージを基地局に送信するステップであって、当該能力報告メッセージは明示モードと暗黙モードのうち少なくとも１つによりＵＥのマルチ時間整列（ＴＡ）能力情報を含むステップとを含む。
【００２５】
別の実施形態によれば、ＵＥが、基地局から能力問合せメッセージを受信するための受信モジュールと、能力報告メッセージを基地局に送信するための送信モジュールであって、当該能力報告メッセージは明示モードと暗黙モードのうち少なくとも１つによりＵＥのマルチ時間整列（ＴＡ）能力情報を含む送信モジュールとを備える。
【００２６】
別の実施形態によれば、ＵＥの能力を報告するための方法が、基地局により能力問合せメッセージをＵＥに送信するステップと、基地局により能力報告メッセージをＵＥから受信するステップであって、当該能力報告メッセージは明示モードと暗黙モードのうち少なくとも１つによりＵＥのマルチ時間整列（ＴＡ）能力情報を含むステップと、基地局により、当該能力報告メッセージに含まれるＵＥのマルチＴＡ能力情報に従って、ＵＥがマルチＴＡ能力をサポートするかどうかを判定するステップとを含む。
【００２７】
別の実施形態によれば、基地局が、能力問合せメッセージをＵＥに送信するための送信モジュールと、能力報告メッセージをＵＥから受信するための受信モジュールであって、当該能力報告メッセージは明示モードと暗黙モードのうち少なくとも１つによりＵＥのマルチ時間整列（ＴＡ）能力情報を含む受信モジュールと、当該能力報告メッセージに含まれるＵＥのマルチＴＡ能力情報に従って、ＵＥがマルチＴＡ能力をサポートするかどうかを判定するための判定モジュールとを備える。
【００２８】
従来技術と比べて、本発明の解決策には以下の利点がある。本発明の解決策により、能力問合せメッセージを基地局から受信した後に、ＵＥは能力報告メッセージを基地局に送信する。当該能力報告メッセージは、明示モードと暗黙モードのうち少なくとも１つによりＵＥのマルチＴＡ能力情報を含む。したがって、ＵＥのマルチＴＡ能力情報を基地局に報告することができ、基地局はＵＥの能力を正確に学習することができる。
【図面の簡単な説明】
【００２９】
【図１】先行技術の３ＧＰＰで定義されるマルチＴＡシナリオのシナリオ１を示す図である。
【図２】先行技術の３ＧＰＰで定義されるマルチＴＡシナリオのシナリオ２を示す図である。
【図３】先行技術の３ＧＰＰで定義されるマルチＴＡシナリオのシナリオ３ａおよび３ｂを示す図である。
【図４】先行技術の３ＧＰＰで定義されるマルチＴＡシナリオのシナリオ４ａおよび４ｂを示す図である。
【図５】先行技術のＵＥの能力を報告するシグナリング・プロセスを示す図である。
【図６】本発明の１実施形態に従うＵＥの能力を報告する方法を示す流れ図である。
【図７】本発明の１実施形態に従う帯域結合の構造を示す図である。
【図８】本発明の別の実施形態に従う帯域結合の構造を示す図である。
【図９】本発明の１実施形態に従うＵＥの構造を示す図である。
【図１０】本発明の１実施形態に従う基地局の構造を示す図である。
【発明を実施するための形態】
【００３０】
背景技術で述べたように、ＬＴＥ−Ａ  Ｒ１１におけるマルチＴＡ能力をサポートするＵＥが最初にネットワークにアクセスすると、基地局がＵＥの能力を問い合わせる。しかし、先行技術においては、ＵＥがマルチＴＡ能力をサポートするかどうかを基地局に報告する必要はなく、これは複数のＴＡをＬＴＥ−Ａ  Ｒ１１で考慮すべきシナリオとは対照的である。したがって、基地局は、ＵＥがマルチＴＡ能力をサポートするかどうかを学習することができない。
【００３１】
この問題を解決するために、本発明の１実施形態では、ＵＥの能力を報告するための方法を提供する。当該方法により、基地局から能力問合せメッセージを受信した後、ＵＥは能力報告メッセージを基地局に送信することができる。当該能力報告メッセージは、明示モードと暗黙モードのうち少なくとも１つによりＵＥのマルチＴＡ能力情報を含む。したがって、ＵＥのマルチＴＡ能力情報を基地局に報告することができ、基地局はＵＥの能力を正確に学習することができる。
【００３２】
図６は、本発明の１実施形態に従う、ＵＥの能力を報告するための方法を示す流れ図である。図６に示すように、当該方法は以下のブロックを含む。ブロックＳ６０１で、ＵＥが能力問合せメッセージを基地局から受信する。ブロックＳ６０２で、ＵＥが能力報告メッセージを基地局に送信する。当該能力報告メッセージは、明示モードと暗黙モードのうち少なくとも１つによりＵＥのマルチＴＡ能力情報を含む。ブロックＳ６０２から分かるように、ＵＥのマルチＴＡ能力情報を含めるための３つのモードが存在する。
【００３３】
第１のモードでは、当該能力報告メッセージは、明示モードによりＵＥのマルチＴＡ能力情報を含む。実際の適用事例では、当該第１のモードを以下の３つの実施形態のうち１つにより実装してもよい。
【００３４】
実装形態（１）では、当該能力報告メッセージが、ＵＥがマルチＴＡ能力をサポートするかどうかを示す情報を含んでもよい。実際の適用事例では、ＵＥがマルチＴＡ能力をサポートするかどうかを示す情報を１ビットで表現してもよい。実装形態（１）では、場合によっては、能力報告メッセージが、ＵＥによりサポートされるＴＡグループの数を示す情報を含んでもよい。実際の適用事例では、ＵＥによりサポートされるＴＡグループの数を示す情報を１つまたは複数のビットで表してもよい。
【００３５】
実装形態（２）では、能力報告メッセージが、ＵＥによりサポートされるＴＡグループの数を示す情報を含んでもよい。実際の適用事例では、ＵＥによりサポートされるＴＡグループの数を示す情報を１つまたは複数のビットで表してもよい。
【００３６】
実装形態（３）では、能力報告メッセージが、ＵＥにより報告される帯域結合ごとにマルチＴＡ能力がサポートされるかどうかを示す情報を含んでもよい。実際の適用事例では、マルチＴＡ能力が帯域結合に対してサポートされるかどうかを示す情報、当該帯域結合によりサポートされるＴＡグループの数を示す情報、および帯域結合内の各帯域が単一のＴＡグループであるかどうかを示す情報のうち少なくとも１つを、各帯域結合において示してもよい。
【００３７】
さらに、ＵＥが様々なキャリア集約のケースにおいてマルチＴＡ能力を、１つの能力のみを含む帯域結合に対してのみ報告してもよい。
【００３８】
第２のモードでは、能力報告メッセージが、暗黙モードによりＵＥのマルチＴＡ能力情報を含む。実際の適用事例では、当該第２のモードを以下の２つの実施形態のうち１つにより実装してもよい。
【００３９】
実装形態（１）では、能力報告メッセージに含まれる帯域結合情報が、ＵＥがマルチＴＡ能力をサポートするかどうかを示す情報を暗黙的に含み、その結果、基地局はＵＥがマルチＴＡ能力をサポートするかどうかを帯域結合情報に従って判定することができる。能力報告メッセージに含まれるＲＦ能力情報は帯域結合情報を含む。帯域結合情報はＵＥが帯域間集約をサポートするかどうかを示す。ＵＥが帯域間集約をサポートする場合には、ＵＥはマルチＴＡ能力をサポートする。実際の適用事例では、能力報告メッセージに含まれる帯域結合情報が、ＵＥがマルチＴＡ能力をサポートするかどうかを示す情報を暗黙的に含むとき、当該帯域結合情報はまた、ＵＥにより高々集約できる帯域の数を示し、その結果、基地局は当該帯域結合情報に従って、ＵＥにより高々サポートできるＴＡグループの数を決定することができる。
【００４０】
実装形態（２）では、ＵＥのＵＥカテゴリ情報と当該ＵＥがマルチＴＡ能力をサポートするかどうかを示す情報との間の関係が予め決定される。能力報告メッセージは当該ＵＥのＵＥカテゴリ情報を含み、その結果、基地局は、当該ＵＥカテゴリ情報に従って、ＵＥがマルチＴＡ能力をサポートするかどうかを判定することができる。実際の適用事例では、上記第２のモードを帯域間集約シナリオに適用してもよい。
【００４１】
第３のモードでは、能力報告メッセージが、明示モードと暗黙モードによりＵＥのマルチＴＡ能力情報を含む。実際の適用事例では、能力情報報告プロセスを、第１のモードの実装形態（３）と第２のモードの任意の１つの実装形態とを組み合わせることによって実装してもよい。これについては、上の説明を参照できるので、ここでは説明しない。
【００４２】
どのモードを使用しても、ＵＥによりサポートされるＴＡグループの数を能力報告メッセージが含む必要がある場合には、２つのカウント・モードが存在し、そのうち一方はＰＡＴＧとＳＴＡＧの数をカウントし、他方はＳＴＡＧの数のみをカウントする。
【００４３】
能力報告メッセージをＵＥから受信した後、基地局はＵＥのマルチＴＡ能力情報に従ってＵＥがマルチＴＡ能力をサポートするかどうかを判定する。当該能力報告メッセージは、明示モードと暗黙モードのうち少なくとも１つによりＵＥのマルチＴＡ能力情報を含む。能力報告メッセージ内のマルチＴＡ能力情報を含むモードについては、上の説明を参照できるので、ここでは説明しない。
【００４４】
従来技術と比べると、本発明の解決策には以下の利点がある。本発明の解決策により、能力問合せメッセージを基地局から受信した後に、ＵＥは当該能力報告メッセージを基地局に送信する。当該能力報告メッセージは、明示モードと暗黙モードのうち少なくとも１つによりＵＥのマルチＴＡ能力情報を含む。したがって、ＵＥのマルチＴＡ能力情報を基地局に報告することができ、基地局はＵＥの能力を正確に学習することができる。以下では、実際の適用例を参照して本発明の解決策を説明する。
【００４５】
第１の実施形態では、上述の第１のモードの実装形態（１）に対応する明示モードを使用する。第１の実施形態では、ＵＥは能力報告メッセージを介して１ビットの情報のみを報告する。
【００４６】
ＵＥがＲ１１でマルチＴＡ能力情報を報告しようとする場合には、Ｒ１１におけるＵＥの能力を、Ｒ１０におけるＵＥの能力での非キー拡張により記述してもよい。１ビットを追加して、ＵＥがマルチＴＡ能力をサポートするかどうかを示してもよい。当該ビットを、列挙型または論理型で表してもよい。１例を提供する。この例では、下線を引いたワードが拡張された情報である。
UE-EUTRA-Capability-v10xy-IEs ::=  SEQUENCE {
ue-Category-v10xy                  INTEGER (6..8)                OPTIONAL,
rf-Parameters-v10xy                RF-Parameters-v10xy           OPTIONAL,
measParameters-v10xy               MeasParameters-v10xy          OPTIONAL,
interRAT-ParametersCDMA2000-v10xy
IRAT-ParametersCDMA2000-1XRTT-v10xy                              OPTIONAL,
ue-BasedNetwPerfMeasParameters-r10
UE-BasedNetwPerfMeasParameters-r10                               OPTIONAL,
nonCriticalExtension               UE-EUTRA-Capability-v11xy-IEs OPTIONAL
}
【００４７】
さらに、追加した１ビットの情報を以下のように定義してもよい。
修正モード１：
UE-EUTRA-Capability-v11xy-IEs ::=  SEQUENCE {
supportMultiTA                    ENUMERATED {supported}         OPTIONAL
}
修正モード2:
UE-EUTRA-Capability-v11xy-IEs ::=  SEQUENCE {
supportMultiTA                    BOOLEAN
}
修正モード 3:
UE-EUTRA-Capability-v11xy-IEs ::=  SEQUENCE {
supportMultiTA                    ENUMERATED {n0, n1}
}
【００４８】
実際の適用事例では、修正モードは以上の説明には限定されない。以上の修正モードと同じ技術的効果を実現できる限り、他の修正モードを本発明の解決策に適用してもよい。
【００４９】
第２の実施形態では、上述の第１のモードの実装形態（２）に対応する明示モードを使用する。第２の実施形態では、ＵＥは能力報告メッセージを介して、サポートされるＴＡグループの数のみを報告する。
【００５０】
Ｒ１１でサポートされるＴＡグループの数が高々Ｎであるとすると、能力報告メッセージを列挙型、整数型、または文字型で表現してもよい。
【００５１】
文字型を使用する場合には、能力報告メッセージをｘ個のビットで表してもよい。ｘの値が、
【００５２】
【数１】
0005921686.tif 000003
【００５３】
または
【００５４】
【数２】
0005921686.tif 000004
【００５５】
に等しくてもよい。基地局とＵＥが同じ値を使用すると定めてもよい。例えば、後者の値を使用する場合には、基地局とＵＥは、サポートされるＴＡグループ（ＴＡＧ）の数が、ＵＥが報告したＴＡＧの値に１を加えた値に等しいと定めてもよい。
【００５６】
例えば、ＵＥによりサポートされるＴＡＧの数が高々５である場合には、能力報告メッセージを２ビットまたは３ビットで表現してもよい。当該ビットを表２および表３に示すように定義してもよい。
【００５７】
【表２】
0005921686.tif 000005
【００５８】
【表３】
0005921686.tif 000006
【００５９】
関連する無線リソース制御（ＲＲＣ）シグナリングのフォーマットを以下に示す。当該フォーマットでは、下線を引いたワードは拡張された情報である。
UE-EUTRA-Capability-v10xy-IEs ::=  SEQUENCE {
ue-Category-v10xy                   INTEGER (6..8)                OPTIONAL,
rf-Parameters-v10xy                 RF-Parameters-v10xy           OPTIONAL,
measParameters-v10xy                MeasParameters-v10xy          OPTIONAL,
interRAT-ParametersCDMA2000-v10xy
IRAT-ParametersCDMA2000-1XRTT-v10xy                               OPTIONAL,
ue-BasedNetwPerfMeasParameters-r10
UE-BasedNetwPerfMeasParameters-r10                                OPTIONAL,
nonCriticalExtension                UE-EUTRA-Capability-v11xy-IEs OPTIONAL
}
修正モード１（列挙型）
UE-EUTRA-Capability-v11xy-IEs ::=  SEQUENCE {
SupportTAGroupNumber  ENUMERATED {n1, n2, n3, n4, n5} (ＰＴＡＧを含む)
or
SupportSTAGroupNumber ENUMERATED {n0, n1, n2, n3，n4} (ＰＴＡＧを含まない)
or
SupportSTAGroupNumber ENUMERATED {n1, n2, n3, n4} OPTIONAL(ＰＴＡＧを含まない)
}
【００６０】
当該修正モードでは、「ｎｉ」はｉ個のＴＡＧが存在することを表す。例えば、ｎ０はＴＡＧが存在しないことを表す。
修正モード２（整数型）
UE-EUTRA-Capability-v11xy-IEs ::=  SEQUENCE {
SupportTAGroupNumber  INTEGER (1..5) (ＰＴＡＧを含む)
or
SupportTAGroupNumber  INTEGER (0..4) (ＰＴＡＧを含まない)
or
SupportTAGroupNumber  INTEGER (1..4) OPTIONAL (ＰＴＡＧを含まない)
}
修正モード３（文字型）
UE-EUTRA-Capability-v11xy-IEs ::=  SEQUENCE {
SupportSTAGroupNumber BIT STRING (SIZE(3)) (ＰＴＡＧを含む)
or
SupportSTAGroupNumber BIT STRING (SIZE(3)) (ＰＴＡＧを含まない)
or 
SupportSTAGroupNumber BIT STRING (SIZE(2)) OPTIONAL (ＰＴＡＧを含まない)
}
【００６１】
実際の適用事例では、修正モードは以上の説明には限定されない。上の修正モードと同じ技術的効果を実現できる限り、他のモードを本発明の解決策に適用してもよい。
【００６２】
第３の実施形態では上述の第１のモードの実装形態（３）に対応する明示モードを使用する。第３の実施形態ではＵＥは帯域結合に基づいてマルチＴＡ能力を報告してもよい。
【００６３】
Ｒ１０におけるＵＥの能力により定義される帯域結合を拡張するための幾つかの拡張モードがある。第１の拡張モードでは、ＵＥは、マルチＴＡ能力が帯域結合ごとにサポートされるかどうかを示す情報を報告する。例えば、マルチＴＡ能力が帯域結合ごとにサポートされるかどうかを示す情報、各帯域結合によりサポートされるＴＡグループの数を示す情報、および帯域結合内の各帯域が単一のＴＡグループであるかどうかを示す情報のうち少なくとも１つを、Ｒ１１の１つのＲＦパラメータであるＢａｎｄｃｏｍｂｉｎａｔｉｏｎパラメータに追加してもよい。１例を示すと、図７に示すように、マルチＴＡ能力が帯域結合ごとにサポートされるかどうかを示す情報がＢａｎｄｃｏｍｂｉｎａｔｉｏｎパラメータに追加される。マルチＴＡ能力が帯域結合ごとにサポートされるかどうかを示す情報（場合によっては、各帯域結合によりサポートされるＴＡグループの数を示す情報）が新たに追加される。さらに、マルチＴＡ能力が帯域結合ごとにサポートされるかどうかを示す情報が帯域内ＣＡのシナリオのケースでのみ現れるように制限してもよい。
【００６４】
第２の拡張モードでは、帯域内ＣＡのシナリオに対してのみマルチＴＡ能力がサポートされるかどうかを報告し、場合によっては、サポートされるＴＡグループの数を報告してもよい。
【００６５】
例として、Ｒ１１におけるＵＬ  ＣＡ＆ＭＩＭＯ能力の指示であるＣＡ−ＭＩＭＯ−ＰａｒａｍｅｔｅｒｓＵＬパラメータを図８に示す。マルチＴＡ能力が帯域結合ごとにサポートされるかどうかを示す情報（場合によっては、各帯域結合によりサポートされるＴＡグループの数を示す情報）が新たに追加される。マルチＴＡ能力が帯域結合ごとにサポートされるかどうかを示す情報が、任意のシナリオで現れてもよく、または、帯域内ＣＡのシナリオでのみ現れてもよい。
【００６６】
第４の実施形態では、上述の第２のモードの実装形態（１）に対応する暗黙モードを使用する。第４の実施形態では、基地局は、ＵＥの帯域間ＣＡに従って、ＵＥがマルチＴＡ能力をサポートするかどうかを判定してもよい。
【００６７】
ＵＥは、Ｒ１０における帯域結合ＩＥのフォーマットに従って能力報告メッセージを報告し、基地局は、ＵＥが帯域間ＣＡをサポートするかどうかを帯域結合に従って決定する。ＵＥが帯域間ＣＡをサポートする場合には、ＵＥはマルチＴＡ能力をサポートする。
【００６８】
第５の実施形態では、上述の第２のモードの実装形態（２）に対応する暗黙モードを使用する。第５の実施形態では、基地局はＵＥカテゴリ情報に従って、ＵＥがマルチＴＡ能力をサポートするかどうかを判定する。
【００６９】
或るプロトコルでは、ＵＥのＵＥカテゴリ情報と当該ＵＥがマルチＴＡ能力をサポートするかどうかを示す情報の間の関係が予め定義される。ＵＥの能力報告メッセージがＵＥカテゴリ情報を含む場合には、基地局は当該ＵＥカテゴリ情報に従って、ＵＥがマルチＴＡ能力をサポートするかどうかを判定してもよい。
【００７０】
第６の実施形態では、暗黙モードと明示モードを組み合わせる。これは上述の第３のモードに対応する。
【００７１】
帯域間ＣＡに対しては、マルチＴＡ能力がサポートされるかどうかを、帯域間ＣＡがサポートされるかどうかに従って判定してもよい。帯域内ＣＡに対しては、マルチＴＡ能力がサポートされるかどうかを、ＵＥの能力報告メッセージで示された情報に従って判定してもよい。ＵＥの能力報告メッセージで示された情報が、第３の実施形態におけるフォーマットを使用してもよい。
【００７２】
従来技術と比べると、本発明の解決策には以下の利点がある。本発明の解決策により、能力問合せメッセージを基地局から受信した後に、ＵＥは能力報告メッセージを基地局に送信する。当該能力報告メッセージは、明示モードと暗黙モードのうち少なくとも１つによりＵＥのマルチＴＡ能力情報を含む。したがって、ＵＥのマルチＴＡ能力情報を基地局に報告することができ、基地局はＵＥの能力を正確に学習することができる。
【００７３】
本発明の１実施形態では、図９に示すようにＵＥを提供する。当該ＵＥは、以下のモジュールを備える。
【００７４】
受信モジュール９１は能力問合せメッセージを基地局から受信する。送信モジュール９２は、能力報告メッセージを基地局に送信する。当該能力報告メッセージは、明示モードと暗黙モードのうち少なくとも１つによりＵＥのマルチＴＡ能力情報を含む。
【００７５】
１実装形態では、送信モジュール９２は、ＵＥがマルチＴＡ能力をサポートするかどうかを示す情報を含む能力報告メッセージを送信する。別の実装形態では、送信モジュール９２は、ＵＥによりサポートされるＴＡグループの数を示す情報を含む能力報告メッセージを送信する。別の実装形態では、送信モジュール９２は、ＵＥにより報告される帯域結合ごとにマルチＴＡ能力がサポートされるかどうかを示す情報を含む能力報告メッセージを送信する。
【００７６】
送信モジュール９２は、ＵＥによりサポートされる帯域結合情報を含む能力報告メッセージを送信し、その結果、基地局は、ＵＥがマルチＴＡ能力をサポートするかどうかを当該帯域結合情報に従って判定することができる。別の実装形態では、送信モジュール９２は、ＵＥのＵＥカテゴリ情報を含む能力報告メッセージを送信する。ＵＥカテゴリ情報と当該ＵＥがマルチＴＡ能力をサポートするかどうかを示す情報との間の関係が予め決定され、その結果、基地局は、ＵＥがマルチＴＡ能力をサポートするかどうかを、当該ＵＥカテゴリ情報に従って判定することができる。
【００７７】
本発明の１実施形態では、図１０に示すように基地局を提供する。当該基地局は以下のモジュールを備える。
【００７８】
送信モジュール１０１は、能力問合せメッセージをＵＥに送信する。受信モジュール１０２は、能力報告メッセージをＵＥから受信する。当該能力報告メッセージは、明示モードと暗黙モードのうち少なくとも１つによりＵＥのマルチＴＡ能力情報を含む。
【００７９】
判定モジュール１０３は、受信モジュール１０２により受信された当該能力報告メッセージに含まれるＵＥのマルチＴＡ能力情報に従って、当該ＵＥがマルチＴＡ能力をサポートするかどうかを判定する。
【００８０】
１実装形態では、受信モジュール１０２は、ＵＥがマルチＴＡ能力をサポートするかどうかを示す情報を含む能力報告メッセージを受信する。別の実装形態では、受信モジュール１０２は、ＵＥによりサポートされるＴＡグループの数を示す情報を含む能力報告メッセージを受信する。別の実装形態では、受信モジュール１０２は、ＵＥにより報告される帯域結合ごとにマルチＴＡ能力がサポートされるかどうかを示す情報を含む能力報告メッセージを受信する。
【００８１】
受信モジュール１０２が、ＵＥにより報告される帯域結合ごとに当該マルチＴＡ能力がサポートされるかどうかを示す情報を含む能力報告メッセージを受信したとき、判定モジュール１０３は、マルチＴＡ能力が帯域結合ごとにサポートされるかどうかを示す情報に従って、ＵＥがマルチＴＡ能力をサポートするかどうかを判定する。別の実装形態では、ＵＥのＵＥカテゴリ情報と当該ＵＥがマルチＴＡ能力をサポートするかどうかを示す情報の間の関係が予め定義される。受信モジュール１０２がＵＥのＵＥカテゴリ情報を含む能力報告メッセージを受信したとき、判定モジュール１０３はＵＥカテゴリ情報に従って、ＵＥがマルチＴＡ能力をサポートするかどうかを判定してもよい。
【００８２】
従来技術と比べると、本発明の解決策には以下の利点がある。本発明の解決策により、能力問合せメッセージを基地局から受信した後に、ＵＥは能力報告メッセージを基地局に送信する。当該能力報告メッセージは、明示モードと暗黙モードのうち少なくとも１つによりＵＥのマルチＴＡ能力情報を含む。したがって、ＵＥのマルチＴＡ能力情報を基地局に報告することができ、基地局はＵＥの能力を正確に学習することができる。
【００８３】
以上の実施形態の説明によれば、本発明の諸実施形態を、ハードウェアにより実現してもよく、または、必要な一般的なハードウェア・プラットフォームを伴うソフトウェアにより実現してもよいことは当業者には明らかに理解される。これに基づくと、本発明の解決策がソフトウェア製品の形であってもよい。当該ソフトウェア製品を、（ＣＤ−ＲＯＭ、フラッシュ・メモリ・ディスクまたはモバイル・ハード・ディスクのような）非一時的な記憶媒体に格納してもよく、当該ソフトウェア製品は（パーソナル・コンピュータ、サーバ、またはネットワーク装置のような）コンピュータ装置に本発明の諸実施形態で説明した方法を実施させる幾つかの命令を含む。
【００８４】
添付図面は幾つかの実施形態の略図にすぎず、添付図面で示した一部のモジュールまたはプロセスを当該実施形態に対して必要としなくともよいことは当業者に理解される。
【００８５】
装置の実施形態で示したモジュールを、実施形態の説明に従って当該実施形態の装置において構成してもよく、または、以上の実施形態とは異なる１つまたは複数の装置に配置してもよいことは当業者に理解される。以上の実施形態におけるモジュールを１つのモジュールにマージしてもよく、または、複数のサブモジュールにさらに分割してもよい。
【００８６】
以上の本発明の諸実施形態における符号は説明のために使用したにすぎず、諸実施形態の良し悪しを示すものではない。
【００８７】
以上は本発明の諸実施形態にすぎず、本発明の保護範囲はこれらに限定されない。当業者が行いうる任意の修正は本発明の保護範囲に入る。
【符号の説明】
【００８８】
９１  受信モジュール
９２  送信モジュール
１０１  送信モジュール
１０２  受信モジュール
１０３  判定モジュール
【図１】
0005921686.tif 000007
【図２】
0005921686.tif 000008
【図３】
0005921686.tif 000009
【図４】
0005921686.tif 000010
【図５】
0005921686.tif 000011
【図６】
0005921686.tif 000012
【図７】
0005921686.tif 000013
【図８】
0005921686.tif 000014
【図９】
0005921686.tif 000015
【図１０】
0005921686.tif 000016